(57)【特許請求の範囲】
【請求項１】
撮影レンズと、
前記撮影レンズを介して入射する光を電気信号に変換する撮像素子と、
前記撮像素子から出力される信号を処理する信号処理部と、
記録用画像を取得するための撮影開始の指示を与える撮影指示入力操作部と、
前記撮影指示入力操作部の操作に応動して撮像された画像を記録メディアに記録する記録手段と、
前記記録メディアに格納されている音楽ファイルを再生するオーディオ再生手段と、
撮影画像を表示可能であり、前記記録メディアに記録されている音楽ファイルに関する曲名、アーティスト名及び楽曲時間のうち少なくとも一つの情報を含む楽曲情報が同時に複数表示可能なサイズを有する表示手段と、
前記楽曲情報を前記表示手段に表示させる指示を入力する表示指示入力手段と、
前記オーディオ再生手段による再生中の一曲のみの楽曲情報が表示可能なサイズを有する表示部を具備するとともに、前記表示部に前記楽曲情報を表示させる指示を入力する表示指示入力部を具備するリモコンと、
前記楽曲情報を前記表示手段及び前記表示部の画面上に表示させる楽曲情報表示制御手段と、
前記表示手段及び前記表示部に電力を供給する電池と、
を備え、
前記楽曲情報表示制御手段は、前記オーディオ再生手段による音楽ファイルの再生中において、前記リモコンの表示部に再生中の一曲のみの楽曲情報を表示させるとともに前記表示手段の画面を消灯させ、前記表示指示入力手段からの入力あるいは前記リモコンの表示指示入力部からの入力によって、前記表示手段に前記楽曲情報を表示するように前記表示手段及び前記リモコンの表示部を制御することを特徴とするオーディオ再生機能付きカメラ。
【請求項２】
請求項１に記載のオーディオ再生機能付きカメラにおいて、
前記楽曲情報表示制御手段は、前記音楽ファイルの再生停止中の前記表示手段の表示をオフし、前記表示指示入力手段及び前記表示指示入力部からの入力に応じて、前記記録メディアに格納されている複数の前記楽曲情報を格納されている順に前記表示手段の画面上に一覧表示させ、前記一覧表示における一曲目の表示部分をカーソル表示させることを特徴とするオーディオ再生機能付きカメラ。
【請求項３】
撮影レンズと、
前記撮影レンズを介して入射する光を電気信号に変換する撮像素子と、
前記撮像素子から出力される信号を処理する信号処理部と、
記録用画像を取得するための撮影開始の指示を与える撮影指示入力操作部と、
前記撮影指示入力操作部の操作に応動して撮像された画像を記録メディアに記録する記録手段と、
前記記録メディアに格納されている音楽ファイルを再生するオーディオ再生手段と、
撮影画像を表示可能であり、前記記録メディアに記録されている音楽ファイルに関する曲名、アーティスト名及び楽曲時間のうち少なくとも一つの情報を含む楽曲情報が同時に複数表示可能なサイズを有する表示手段と、
前記楽曲情報を前記表示手段に表示させる指示を入力する表示指示入力手段と、
前記オーディオ再生手段による再生中の一曲のみの楽曲情報が表示可能なサイズを有する表示部を具備するとともに、前記表示部に前記楽曲情報を表示させる指示を入力する表示指示入力部を具備するリモコンと、
前記楽曲情報を前記表示手段及び前記表示部の画面上に表示させる楽曲情報表示制御手段と、
前記表示手段及び前記表示部に電力を供給する電池と、
を備え、
前記楽曲情報表示制御手段は、前記音楽ファイルの再生停止中の前記表示手段の表示をオフし、前記表示指示入力手段及び前記表示指示入力部からの入力に応じて、前記記録メディアに格納されている複数の前記楽曲情報を格納されている順に前記表示手段の画面上に一覧表示させ、前記一覧表示における一曲目の表示部分をカーソル表示させることを特徴とするオーディオ再生機能付きカメラ。
【請求項４】
請求項２又は３に記載のオーディオ再生機能付きカメラにおいて、
前記楽曲情報表示制御手段は、オーディオ再生中に前記表示指示入力手段或いは前記表示指示入力部からの入力に応じて、再生中の音楽ファイル及び当該再生中の音楽ファイルの前後の音楽ファイルを含む複数の音楽ファイルの楽曲情報を前記表示手段の画面に同時表示させるとともに、再生中の音楽ファイルの楽曲情報をカーソル表示させることを特徴とするオーディオ再生機能付きカメラ。
【請求項５】
請求項４に記載のオーディオ再生機能付きカメラにおいて、
前記楽曲情報表示制御手段は、前記表示手段の画面に前記カーソル表示させた楽曲情報を前記リモコンの表示部に連動させて表示することを特徴とするオーディオ再生機能付きカメラ。
【請求項６】
請求項２乃至４のいずれか１項に記載のオーディオ再生機能付きカメラにおいて、
前記楽曲情報表示制御手段は、再生中の音楽ファイル及び当該再生中の音楽ファイルの前後の音楽ファイルを含む複数の音楽ファイルの楽曲情報を前記表示手段の画面に同時表示させるとともに、前記表示手段の画面に表示された複数の楽曲情報について、曲順番号が奇数の表示欄の背景色と偶数の表示欄の背景色を色分け又は濃淡分けして表示することを特徴とするオーディオ再生機能付きカメラ。
【請求項７】
請求項６に記載のオーディオ再生機能付きカメラにおいて、
前記楽曲情報表示制御手段は、前記表示手段の画面に表示された複数の楽曲情報について、カーソルを合わせた表示欄の背景色を変更又は反転させることを特徴とするオーディオ再生機能付きカメラ。
【請求項８】
請求項６又は７に記載のオーディオ再生機能付きカメラにおいて、
前記楽曲情報表示制御手段は、前記表示手段の画面に表示可能な曲数分の楽曲情報を一画面に表示させ、残りの楽曲情報はページ分けて表示することを特徴とするオーディオ再生機能付きカメラ。
【請求項９】
請求項６又は７に記載のオーディオ再生機能付きカメラにおいて、
前記楽曲情報表示制御手段は、前記表示手段の画面に表示可能な曲数分の楽曲情報を一画面に表示させ、残りの楽曲情報はスクロール表示を行うことを特徴とするオーディオ再生機能付きカメラ。
【請求項１０】
請求項１乃至９のいずれか１項に記載のオーディオ再生機能付きカメラにおいて、
前記表示手段に表示された複数の楽曲情報の中から所望の音楽ファイルを選択する選択手段と、
前記選択手段で選択された音楽ファイルを再生する音楽再生制御手段と、
を備えたことを特徴とするオーディオ再生機能付きカメラ。
【請求項１１】
撮影レンズと、
前記撮影レンズを介して入射する光を電気信号に変換する撮像素子と、
前記撮像素子から出力される信号を処理する信号処理部と、
記録用画像を取得するための撮影開始の指示を与える撮影指示入力操作部と、
前記撮影指示入力操作部の操作に応動して撮像された画像を記録メディアに記録する記録手段と、
前記記録メディアに格納され、オーディオ再生機能により再生可能な楽曲を含み、画像と関連付けされていない音楽配信装置からダウンロードされたダウンロード楽曲を再生するオーディオ再生手段と、
前記記録メディアに格納されている全てのダウンロード楽曲又は指定された一部のダウンロード楽曲を前記記録メディアから削除するダウンロード楽曲削除手段と、
前記ダウンロード楽曲削除手段によるファイル消去動作の指示を与える消去指示入力手段と、
撮影画像を表示可能な表示手段と、
前記記録メディアに格納されているダウンロード楽曲に関する曲名、アーティスト名及び楽曲時間のうち少なくとも一つの情報を含む楽曲情報を前記表示手段に表示させる指示を入力する表示指示入力手段と、
前記楽曲情報を表示する表示部を具備するとともに、前記表示部に前記楽曲情報を表示させる指示を入力する表示指示入力部を具備するリモコンと、
前記楽曲情報を前記表示手段及び前記表示部の画面上に表示させる楽曲情報表示制御手段と、
を備え、
前記楽曲情報表示制御手段は、前記オーディオ再生手段によるダウンロード楽曲の再生中において、前記リモコンの表示部に再生中の楽曲情報を表示させるとともに前記表示手段の画面を消灯させ、前記表示指示入力手段からの入力あるいは前記リモコンの表示指示入力部からの入力によって、前記表示手段に前記楽曲情報を表示するように前記表示手段及び前記リモコンの表示部を制御することを特徴とするオーディオ再生機能付きカメラ。
【請求項１２】
撮影レンズと、
前記撮影レンズを介して入射する光を電気信号に変換する撮像素子と、
前記撮像素子から出力される信号を処理する信号処理部と、
記録用画像を取得するための撮影開始の指示を与える撮影指示入力操作部と、
前記撮影指示入力操作部の操作に応動して撮像された画像を記録メディアに記録する記録手段と、
前記記録メディアに格納され、オーディオ再生機能により再生可能な楽曲を含み、画像と関連付けされていない音楽配信装置からダウンロードされたダウンロード楽曲を再生するオーディオ再生手段と、
前記記録メディアに格納されている全てのダウンロード楽曲又は指定された一部のダウンロード楽曲を前記記録メディアから削除するダウンロード楽曲削除手段と、
前記ダウンロード楽曲削除手段によるファイル消去動作の指示を与える消去指示入力手段と、
撮影画像を表示可能な表示手段と、
前記記録メディアに格納されているダウンロード楽曲に関する曲名、アーティスト名及び楽曲時間のうち少なくとも一つの情報を含む楽曲情報を前記表示手段に表示させる指示を入力する表示指示入力手段と、
前記楽曲情報を表示する表示部を具備するとともに、前記表示部に前記楽曲情報を表示させる指示を入力する表示指示入力部を具備するリモコンと、
前記楽曲情報を前記表示手段及び前記表示部の画面上に表示させる楽曲情報表示制御手段と、
を備え、
前記楽曲情報表示制御手段は、前記ダウンロード楽曲の再生停止中の前記表示手段の表示をオフし、前記表示指示入力手段及び前記表示指示入力部からの入力に応じて、前記記録メディアに格納されている複数の前記楽曲情報を格納されている順に前記表示手段の画面上に一覧表示させ、前記一覧表示における一曲目の表示部分をカーソル表示させることを特徴とするオーディオ再生機能付きカメラ。
【発明の詳細な説明】
【技術分野】
【０００１】
本発明はオーディオ再生機能付きカメラに係り、特に、記録メディアに保存した音楽ファイルをカメラ本体で再生する機能と、カメラ本体に搭載した撮像素子により撮像した画像を記録する撮影機能とを兼備した電子カメラに関する。
【背景技術】
【０００２】
特開平７−１７５７１６号公報に開示されたデータ記録再生装置は、書き換え可能な不揮発性半導体メモリを有し、該メモリに音楽データを記録し、又は記録した音楽データを再生する機能を備えている。特開平６−３４２３８８号公報には、映像、音楽、文字列など、多様な情報ファイルの代表部分（ハイライトシーン）をまとめて一つの独立した情報ファイルを構築してファイル管理を行う方法が開示されている。
【０００３】
特開平８−２３５０５１号公報は、楽曲データが公衆回線を通じて配信される通信カラオケシステムが開示され、楽曲データは、ＣＤ−ＲＯＭなどの記録媒体からも供給できるようになっている。特開平１１−２３２８４０号公報には、大容量の記憶装置に多数の音楽データを記録し、不要となった音楽データを自動的に検索し削除する方法が開示されている。
【０００４】
また、近年、ＭＰ３（MPEG-1 Audio Layer-III）方式による音楽データの記録／再生機も知られており、記録メディアに記録されている音楽ファイルを再生する機能のみを有する再生専用機や、再生のみならず、パーソナルコンピュータ（以下、パソコンという。）と接続して、記録メディアに音楽ファイルを登録若しくは削除することができる記録再生機も提案されている。
【特許文献１】特開平７−１７５７１６号公報
【特許文献２】特開平８−２３５０５１号公報
【発明の開示】
【発明が解決しようとする課題】
【０００５】
このようなオーディオ技術を背景に、本願発明者は、デジタルカメラなどのカメラ本体にオーディオ再生機能を搭載する新たなカメラの開発を行い、かかるカメラを実現する上で、次のような課題に着眼した。すなわち、ユーザは記録メディアに画像ファイルだけでなく、音楽ファイルも保存することとなる。その場合、保存されている音楽ファイルの容量分だけ、画像ファイルの記録量が減ることになる。
【０００６】
例えば、ユーザが外出先で画像記録（撮影）しようとしたところ、メディアに空き容量が少なく、また、他の画像ファイルを消去することができない場合が起こり得る。このような時に、パソコンを用いて音楽ファイルを消去できればよいが、パソコンが無い場合には必要な画像を記録できない事態になる。
【０００７】
本発明はこのような事情に鑑みてなされたもので、パソコンを使用することなく、音楽ファイルを削除することができるオーディオ再生機能付きカメラを提供することを目的とする。また、本発明はユーザの利便性向上を図るため、再生中や選択中の音楽ファイルに関する曲名及びアーティスト名のみならず、その前後の曲についても曲名等を確認することができるオーディオ再生機能付きカメラを提供することを目的とする。
【課題を解決するための手段】
【０００８】
前記目的を達成するために、本発明に係るオーディオ再生機能付きカメラは、撮影レンズと、前記撮影レンズを介して入射する光を電気信号に変換する撮像素子と、前記撮像素子から出力される信号を処理する信号処理部と、記録用画像を取得するための撮影開始の指示を与える撮影指示入力操作部と、前記撮影指示入力操作部の操作に応動して撮像された画像を記録メディアに記録する記録手段と、前記記録メディアに格納されている音楽ファイルを再生するオーディオ再生手段と、撮影画像を表示可能であり、前記記録メディアに記録されている音楽ファイルに関する曲名、アーティスト名及び楽曲時間のうち少なくとも一つの情報を含む楽曲情報が同時に複数表示可能なサイズを有する表示手段と、前記楽曲情報を前記表示手段に表示させる指示を入力する表示指示入力手段と、前記オーディオ再生手段による再生中の一曲のみの楽曲情報が表示可能なサイズを有する表示部を具備するとともに、前記表示部に前記楽曲情報を表示させる指示を入力する表示指示入力部を具備するリモコンと、前記楽曲情報を前記表示手段及び前記表示部の画面上に表示させる楽曲情報表示制御手段と、前記表示手段及び前記表示部に電力を供給する電池と、を備え、前記楽曲情報表示制御手段は、前記オーディオ再生手段による音楽ファイルの再生中において、前記リモコンの表示部に再生中の一曲のみの楽曲情報を表示させるとともに前記表示手段の画面を消灯させ、前記表示指示入力手段からの入力あるいは前記リモコンの表示指示入力部からの入力によって、前記表示手段に前記楽曲情報を表示するように前記表示手段及び前記リモコンの表示部を制御することを特徴とする。
【０００９】
本発明によれば、カメラに付属する表示手段を利用して、曲名、アーティスト名等の楽曲情報を表示可能な範囲で複数表示するので、再生中の曲目及びその前後の曲目を容易に確認することができ、音楽ファイルの操作が容易になる。
【００１０】
本発明の一態様に係る発明は、前記楽曲情報表示制御手段は、前記音楽ファイルの再生停止中の前記表示手段の表示をオフし、前記表示指示入力手段及び前記表示指示入力部からの入力に応じて、前記記録メディアに格納されている複数の前記楽曲情報を格納されている順に前記表示手段の画面上に一覧表示させ、前記一覧表示における一曲目の表示部分をカーソル表示させることを特徴とする。
【００１１】
また、前記目的を達成するために、本発明に係るオーディオ再生機能付きカメラは、撮影レンズと、前記撮影レンズを介して入射する光を電気信号に変換する撮像素子と、前記撮像素子から出力される信号を処理する信号処理部と、記録用画像を取得するための撮影開始の指示を与える撮影指示入力操作部と、前記撮影指示入力操作部の操作に応動して撮像された画像を記録メディアに記録する記録手段と、前記記録メディアに格納されている音楽ファイルを再生するオーディオ再生手段と、撮影画像を表示可能であり、前記記録メディアに記録されている音楽ファイルに関する曲名、アーティスト名及び楽曲時間のうち少なくとも一つの情報を含む楽曲情報が同時に複数表示可能なサイズを有する表示手段と、前記楽曲情報を前記表示手段に表示させる指示を入力する表示指示入力手段と、前記オーディオ再生手段による再生中の一曲のみの楽曲情報が表示可能なサイズを有する表示部を具備するとともに、前記表示部に前記楽曲情報を表示させる指示を入力する表示指示入力部を具備するリモコンと、前記楽曲情報を前記表示手段及び前記表示部の画面上に表示させる楽曲情報表示制御手段と、前記表示手段及び前記表示部に電力を供給する電池と、を備え、前記楽曲情報表示制御手段は、前記音楽ファイルの再生停止中の前記表示手段の表示をオフし、前記表示指示入力手段及び前記表示指示入力部からの入力に応じて、前記記録メディアに格納されている複数の前記楽曲情報を格納されている順に前記表示手段の画面上に一覧表示させ、前記一覧表示における一曲目の表示部分をカーソル表示させることを特徴とする。
【００１２】
前記楽曲情報表示制御手段は、前記表示手段の画面に前記カーソル表示させた楽曲情報を前記リモコンの表示部に連動させて表示する態様が好ましい。
【００１３】
本発明の一態様に係る発明は、前記楽曲情報表示制御手段は、オーディオ再生中に前記表示指示入力手段或いは前記表示指示入力部からの入力に応じて、再生中の音楽ファイル及び当該再生中の音楽ファイルの前後の音楽ファイルを含む複数の音楽ファイルの楽曲情報を前記表示手段の画面に同時表示させるとともに、再生中の音楽ファイルの楽曲情報をカーソル表示させることを特徴とする。
【００１４】
かかる態様によれば、複数の楽曲情報が見やすく表示される。また、曲選択を行う際の操作感を向上させることができる。
【００１５】
前記楽曲情報表示制御手段は、再生中の音楽ファイル及び当該再生中の音楽ファイルの前後の音楽ファイルを含む複数の音楽ファイルの楽曲情報を前記表示手段の画面に同時表示させるとともに、前記表示手段の画面に表示された複数の楽曲情報について、曲順番号が奇数の表示欄の背景色と偶数の表示欄の背景色を色分け又は濃淡分けして表示する態様も好ましい。
【００１６】
前記楽曲情報表示制御手段は、前記表示手段の画面に表示された複数の楽曲情報について、カーソルを合わせた表示欄の背景色を変更又は反転させる態様も好ましい。
【００１７】
さらに、前記楽曲情報表示制御手段は、前記表示手段の画面に表示可能な曲数分の楽曲情報を一画面に表示させ、残りの楽曲情報はページ分けて表示する態様や、前記楽曲情報表示制御手段は、前記表示手段の画面に表示可能な曲数分の楽曲情報を一画面に表示させ、残りの楽曲情報はスクロール表示を行う態様も好ましい。
【００１８】
また、前記表示手段に表示された複数の楽曲情報の中から所望の音楽ファイルを選択する選択手段と、前記選択手段で選択された音楽ファイルを再生する音楽再生制御手段と、を備える態様が好ましい。
【００１９】
本発明において、記録メディアに記録されている音楽ファイルをカメラ単体の操作により削除し得る機能を備える態様が好ましい。
【００２０】
かかる態様によれば、音楽ファイルを格納した記録メディアをカメラに装着すると、当該カメラによって音楽ファイルを再生して聴くことができ、撮影に使用するのみならず、携帯用オーディオ再生装置として兼用できる。また、本発明のカメラは、パソコンその他の機器に接続することなく、カメラ単体で音楽ファイルの削除操作が可能なため、不要なファイルをいつでも消去でき、記録メディアの空き容量を確保できる。
【００２１】
また、画像ファイル及び音楽ファイルが混在して記録されている記録メディアから、画像ファイルを残して、全ての音楽ファイル又は指定した一部の音楽ファイルを削除し得る機能を備え、当該削除の処理によって生じた記録メディアの空き容量に画像を記録できるように構成されている態様も好ましい。
【００２２】
本発明は、光学像を電気信号に変換して、画像データとして記録メディアに記録する電子カメラに適用される。記録メディアは、画像データを記録する媒体として使用されるとともに、音楽データ（音楽ファイル）を記録する媒体として共用される。かかる場合、音楽ファイルが記録されていると、その分画像データの記録可能容量（撮影可能枚数）が少なくなる。本発明のカメラは、ユーザによる所定の操作によって、音楽ファイルのみを削除でき、撮影のための容量を増やすことができる。これにより、撮影チャンスを逃すような事態を回避できる。
【００２３】
また、撮影レンズと、前記撮影レンズを介して入射する光を電気信号に変換する撮像素子と、前記撮像素子から出力される信号を処理する信号処理部と、記録用画像を取得するための撮影開始の指示を与える撮影指示入力操作部と、前記撮影指示入力操作部の操作に応動して撮像された画像を記録メディアに記録する記録手段と、前記記録メディアに格納されている音楽ファイルを再生するオーディオ再生手段と、前記記録メディアに格納されている全ての音楽ファイル又は指定された一部の音楽ファイルを前記記録メディアから削除する音楽ファイル削除手段と、前記音楽ファイル削除手段によるファイル消去動作の指示を与える消去指示入力手段と、を備えた態様が好ましい。
【００２４】
カメラを構成するこれら各要素がカメラ本体に組み込まれ、カメラ本体のみの操作によって音楽ファイルを削除できる。このカメラの具体的態様例として、前記撮影指示入力操作部の操作に応動して発光し得る閃光装置を備えるとともに、カメラ本体にはグリップ部が形成され、前記撮影指示入力操作部は、前記グリップ部を把持した手の指で操作可能な位置に設けられている態様がある。
【００２５】
また、オーディオ操作が可能なオーディオモードと、カメラ操作が可能なカメラモードの選択を行うモード選択手段を付加し、前記モード選択手段によってカメラモードが選択されている状態で、前記消去指示入力手段からの消去指示を受け付けるとともに、消去指示に応動して前記音楽ファイル削除手段によるファイル削除を実行するように構成する態様も好ましい。
【００２６】
更に他の態様として、前記消去指示入力手段は、前記記録メディアに格納されている全ての音楽ファイルを一斉に削除する全曲削除の動作を指定することができ、前記音楽ファイル消去手段は、前記全曲削除の指示を受けて前記記録メディア内の全ての音楽ファイルを一括削除するという態様もある。
【００２７】
上記したオーディオ再生機能付きカメラにおいて、撮影画像を表示可能な表示手段と、前記記録メディアに格納されている複数の音楽ファイルに関する曲名、アーティスト名及び楽曲時間のうち少なくとも一つの情報を含む楽曲情報を前記表示手段の画面上に同時に表示させる楽曲情報表示制御手段と、を付加する態様が好ましい。
【００２８】
記録メディア内の音楽ファイルについてその曲名等の情報（楽曲情報）を表示手段に一覧表示したことにより、楽曲の確認や選択操作等が容易になり、利便性が向上する。
【００２９】
この場合、前記記録メディアに格納されている音楽ファイルに関する前記楽曲情報を前記表示手段に表示させる指示を入力する表示指示入力手段を備え、前記表示指示入力手段の操作に応じて、前記表示手段の画面上に複数の音楽ファイルに関する前記楽曲情報を表示させる制御を行う態様がある。かかる態様により、ユーザは、必要に応じて表示指示入力手段を操作することで、随時、楽曲情報を確認することができる。
【００３０】
また、前記表示手段に表示された複数の楽曲情報の中から所望の音楽ファイルを選択する選択手段と、前記選択手段で選択された音楽ファイルを再生する音楽再生制御手段と、を備える態様も好ましい。これにより、再生対象ファイルの選択操作が容易になる。
【００３１】
本発明の一態様として、前記記録メディアに格納されている全ての音楽ファイルを一斉に削除する全曲削除モードと、指定した一部の音楽ファイルを削除する１曲削除モードを選択可能な削除モード選択手段を備え、前記全曲削除モード又は前記１曲削除モードが選択された場合に、前記記録メディア内の複数の音楽ファイルに関する前記楽曲情報が前記表示手段に表示されることを特徴とする態様がある。
【００３２】
更に、前記表示手段に表示された複数の楽曲情報の中から消去対象とする音楽ファイルを選択する消去対象選択手段と、前記消去対象選択手段により選択された音楽ファイルを前記記録メディアから削除する制御を行うファイル削除制御手段と、を備える態様がある。
【００３３】
本発明において、前記記録メディア内に音楽ファイルが存在しない場合には、前記削除モード選択手段による選択操作を禁止する制御を行う操作制限手段を備える態様も好ましい。また、前記目的を達成するために、本発明に係るオーディオ再生機能付きカメラは、撮影レンズと、前記撮影レンズを介して入射する光を電気信号に変換する撮像素子と、前記撮像素子から出力される信号を処理する信号処理部と、記録用画像を取得するための撮影開始の指示を与える撮影指示入力操作部と、前記撮影指示入力操作部の操作に応動して撮像された画像を記録メディアに記録する記録手段と、前記記録メディアに格納され、オーディオ再生機能により再生可能な楽曲を含み、画像と関連付けされていない音楽配信装置からダウンロードされたダウンロード楽曲を再生するオーディオ再生手段と、前記記録メディアに格納されている全てのダウンロード楽曲又は指定された一部のダウンロード楽曲を前記記録メディアから削除するダウンロード楽曲削除手段と、前記ダウンロード楽曲削除手段によるファイル消去動作の指示を与える消去指示入力手段と、撮影画像を表示可能な表示手段と、前記記録メディアに格納されているダウンロード楽曲に関する曲名、アーティスト名及び楽曲時間のうち少なくとも一つの情報を含む楽曲情報を前記表示手段に表示させる指示を入力する表示指示入力手段と、前記楽曲情報を表示する表示部を具備するとともに、前記表示部に前記楽曲情報を表示させる指示を入力する表示指示入力部を具備するリモコンと、前記楽曲情報を前記表示手段及び前記表示部の画面上に表示させる楽曲情報表示制御手段と、を備え、前記楽曲情報表示制御手段は、前記オーディオ再生手段によるダウンロード楽曲の再生中において、前記リモコンの表示部に再生中の楽曲情報を表示させるとともに前記表示手段の画面を消灯させ、前記表示指示入力手段からの入力あるいは前記リモコンの表示指示入力部からの入力によって、前記表示手段に前記楽曲情報を表示するように前記表示手段及び前記リモコンの表示部を制御することを特徴とする。また、前記目的を達成するために、本発明に係るオーディオ再生機能付きカメラは、撮影レンズと、前記撮影レンズを介して入射する光を電気信号に変換する撮像素子と、前記撮像素子から出力される信号を処理する信号処理部と、記録用画像を取得するための撮影開始の指示を与える撮影指示入力操作部と、前記撮影指示入力操作部の操作に応動して撮像された画像を記録メディアに記録する記録手段と、前記記録メディアに格納され、オーディオ再生機能により再生可能な楽曲を含み、画像と関連付けされていない音楽配信装置からダウンロードされたダウンロード楽曲を再生するオーディオ再生手段と、前記記録メディアに格納されている全てのダウンロード楽曲又は指定された一部のダウンロード楽曲を前記記録メディアから削除するダウンロード楽曲削除手段と、前記ダウンロード楽曲削除手段によるファイル消去動作の指示を与える消去指示入力手段と、撮影画像を表示可能な表示手段と、前記記録メディアに格納されているダウンロード楽曲に関する曲名、アーティスト名及び楽曲時間のうち少なくとも一つの情報を含む楽曲情報を前記表示手段に表示させる指示を入力する表示指示入力手段と、前記楽曲情報を表示する表示部を具備するとともに、前記表示部に前記楽曲情報を表示させる指示を入力する表示指示入力部を具備するリモコンと、前記楽曲情報を前記表示手段及び前記表示部の画面上に表示させる楽曲情報表示制御手段と、を備え、前記楽曲情報表示制御手段は、前記ダウンロード楽曲の再生停止中の前記表示手段の表示をオフし、前記表示指示入力手段及び前記表示指示入力部からの入力に応じて、前記記録メディアに格納されている複数の前記楽曲情報を格納されている順に前記表示手段の画面上に一覧表示させ、前記一覧表示における一曲目の表示部分をカーソル表示させることを特徴とする。
【発明の効果】
【００３４】
本発明によれば、カメラに付属する表示手段を利用して、曲名、アーティスト名等の楽曲情報を表示可能な範囲で複数表示するので、再生中の曲目及びその前後の曲目を容易に確認することができ、音楽ファイルの操作が容易になる。
【００３５】
また、撮影したい時に記録メディアに空き容量が少なく、既に記録されている画像を削除したくない状況で、その記録メディアに音楽ファイルが登録されている場合には、音楽ファイルだけを選択的に削除することにより、その削除により空けられた容量分の撮影（画像記録）が可能となる。
【００３６】
音楽ファイルは、一旦削除しても、後で自宅のパソコンからコピーしたり、音楽配信装置から再ダウンロードするなどによって、同じ内容のファイルを再取得できる可能性が高い。これに対し、撮影すべき画像は、そのシャッターチャンス（動画の場合は、録画チャンス）を逃したら、二度と同じ画像を記録できないという特殊性がある。そのため、再取得性のある音楽ファイルを犠牲にしても、撮影を優先するという本発明の意義は大きい。
【００３７】
また、カメラに付属する表示手段を利用して、曲名、アーティスト名等の楽曲情報を表示可能な範囲で複数表示するので、再生中の曲目及びその前後の曲目を容易に確認することができるとともに、音楽ファイルの削除操作時には消去対象を容易に確認することができ、曲選択を行う際の操作感を向上させることができる。
【発明を実施するための最良の形態】
【００３８】
以下添付図面に従って本発明に係るオーディオ再生機能付きカメラの好ましい実施の形態について説明する。
【００３９】
図１乃至図５はそれぞれ本発明の実施形態に係るカメラの外観を示す正面図、背面図、平面図、底面図、及び右側面図である。このカメラは、オーディオ再生機能付きデジタルカメラ１０であり、図１乃至図５に示すように偏平な略直方体状の外観を有し、衣服のポケットに入るサイズに形成されている。
【００４０】
図１に示すデジタルカメラ１０の前面には、沈胴式の撮影レンズ１２、ファインダー窓１４、ストロボ１６、ストロボ調光センサー１８、マイク１９、及びセルフタイマーランプ２０が設けられている。また、デジタルカメラ１０の前面には、撮影レンズ１２の沈胴位置で開閉されるレンズカバー（図１中不図示、図６において符号２２として記載）が設けられている。なお、図１では、レンズカバー２２が開放された状態に関して示している。符号２３は、カメラのグリップ部に相当する部分である。
【００４１】
図２に示すデジタルカメラ１０の背面には、ファインダー２４、モードダイヤル２６、右キー２８、左キー３０、及び上／下レバー３２、メニュー／実行キー３４、キャンセル／戻るキー３６、表示キー３８、及び液晶モニタ４０等が設けられている。モードダイヤル２６は、カメラモードにおけるカメラの機能を変更するもので、モードダイヤル２６を回動操作することにより、スチル撮影を行う撮影モード、撮影した画像を再生する再生モード、又は動画撮影を行うムービーモードを設定する。
【００４２】
右キー２８、左キー３０及び上／下レバー３２は、それぞれ対応する４方向（右、左、上、下）の指示を入力することができるもので、右キー２８、左キー３０は、再生モード時に順コマ送りボタン、逆コマ送りボタンとしてそれぞれ機能し、上／下レバー３２は、カメラモード時に電子ズームの倍率調整用のズームレバーとして機能する。また、右キー２８、左キー３０及び上／下レバー３２は、メニュー／実行キー３４によってメニューモードが設定された場合には、メニューの一覧からメニューを選択したり、各メニューにおける各種設定項目の選択を指示する操作ボタンとして機能する。
【００４３】
メニュー／実行キー３４は、各モードの通常画面からメニュー画面へ遷移させる時、或いは、選択内容の確定、処理の実行（確認）指示の時などに使用される。キャンセル／戻るキー３６は、メニューから選んだ項目の取消（キャンセル）や一つ前の操作状態に戻る時などに使用される。
【００４４】
液晶モニタ４０は、画角確認用の電子ファインダーとして使用できるとともに、撮影した画像やカメラに装填されたメモリカード（図６において符号７２として記載）から読み出した再生画像等を表示することができる。また、右キー２８、左キー３０及び上／下レバー３２を使用したメニューの選択や各メニューにおける各種設定項目の設定も液晶モニタ４０の表示画面を用いて行われる。更に、液晶モニタ４０は、撮影可能枚数（コマ数）や再生コマ番号の表示、ストロボ発光の有無、マクロモード表示、記録画質（クオリティー）表示、画素数表示等の情報も表示される。
【００４５】
図３に示すデジタルカメラ１０の上面には、シャッターボタン４２、電源スイッチを兼ねたモード設定スイッチ４４、及びストロボボタン４６が設けられている。シャッターボタン４２は、動画記録の場合にあっては、録画ボタン（録画のスタート／ストップボタン）として兼用される。
【００４６】
モード設定スイッチ４４は、図３上で当該ツマミが右方向（オーディオモード位置）に移動する時にはロックされ、ツマミが左方向に移動する時にはロックされないスライドスイッチである。ツマミが右方向に移動してロックされると、オーディオモードを設定し、ツマミが左方向に移動する毎にカメラモードとカメラ内電源をＯＦＦにするＯＦＦモードとを交互に設定する。
【００４７】
モード設定スイッチ４４によってオーディオモードが設定されている場合には、カメラ本体の各種のスイッチは機能せず、後述のリモコン端子（図５中符号５６として記載）に接続したイヤホン（ヘッドホン）付きのリモコン（図示せず）のスイッチのみを受け付けるようになっている。また、モード設定スイッチ４４によってオーディオモードが設定されてもリモコン端子５６にリモコンが接続されていない場合には、カメラ内電源はＯＦＦの状態に維持され、リモコン端子５６にリモコンを接続した後、リモコンを操作すると、カメラ内電源がＯＮになる。
【００４８】
図４に示すデジタルカメラ１０の底面には、メモリカード（本例の場合、スマートメディア）のスロットカバーを兼ねた電池カバー４８、及び三脚ねじ穴５０が設けられている。図５に示すデジタルカメラ１０の側面（グリップ部２３と反対側の側面）には、スピーカ５２、音声／映像出力（VIDEO OUT)端子５４、音声出力端子を含むリモコン端子５６、デジタル（ＵＳＢ）端子５８、及び電源入力端子６０が設けられている。
【００４９】
図６はデジタルカメラ１０の内部構成を示したブロック図である。同図において、中央処理装置（ＣＰＵ）７０は、モード設定スイッチ４４、モードダイヤル２６、シャッターボタン４２、その他の操作部６１及び図示しないリモコン等からの入力に基づいてデジタルカメラ１０内の各回路を統括制御する。操作部６１は、前述した右キー２８、左キー３０、上／下レバー３２、メニュー／実行キー３４、キャンセル／戻るキー３６、表示キー３８などの入力操作手段を含むブロックである。また、符号７１は内部バスである。
【００５０】
モード設定スイッチ４４がＯＦＦモードからカメラモードに設定されると、ＣＰＵ７０はこれを検出し、カメラ内電源をＯＮにするとともに、レンズカバー２２を開放するための制御等を行う。また、モード設定スイッチ４４がカメラモードからＯＦＦモード又はオーディオモードに設定されると、ＣＰＵ７０はこれを検出し、レンズカバー２２を閉成するための制御等を行う。
【００５１】
ここで、レンズカバー２２を開放する場合には、ＣＰＵ７０はドライバ６２を介してモータ６４を正転させ、レンズカバー２２を閉成する場合には、ドライバ６２を介してモータ６４を逆転させる信号を出力する。また、レンズカバー２２を閉成する場合には、予め撮影レンズ１２が沈胴位置に移動するように制御している。
【００５２】
モード設定スイッチ４４によってカメラモードが設定され、モードダイヤル２６によって撮影モードが設定され、シャッターボタン４２が押されると、ＣＰＵ７０はこれを検知し、スチル撮影を行わせ、その撮影時によって得た１コマ分の画像データをメモリカード７２に記録させる。即ち、ＣＰＵ７０は、フォーカス制御及び露出制御を行い、撮影レンズ１２を介して被写体光を固体撮像素子（ＣＣＤ）７４の受光面上に結像させる。
【００５３】
ＣＣＤ７４は、受光面に結像された被写体光をその光量に応じた量の信号電荷に変換する。このようにして蓄積された信号電荷は、その信号電荷に応じた電圧信号として順次読み出される。ＣＣＤ７４から順次読み出された電圧信号は、相関二重サンプリング回路（ＣＤＳ回路）７６に加えられ、ここで各画素ごとのＲ、Ｇ、Ｂ信号がサンプリングホールドされるともに増幅され、Ａ／Ｄ変換器７８に加えられる。Ａ／Ｄ変換器７８は、ＣＤＳ回路７６から順次加えられるＲ、Ｇ、Ｂ信号を１０ビット（０〜１０２３）のデジタルのＲ、Ｇ、Ｂ信号に変換して画像信号処理回路８０に出力する。
【００５４】
画像信号処理回路８０は、Ａ／Ｄ変換器７８から加えられる点順次のＲ、Ｇ、Ｂ信号を同時式に変換する同時化処理、ホワイトバランス調整、ガンマ補正、ＹＣ信号処理等の所定の画像処理を行う。この画像信号処理回路８０のＹＣ信号処理によって作成された輝度信号Ｙとクロマ信号Ｃｒ、Ｃｂ（ＹＣ信号）は、圧縮／伸長回路８２によって所定のフォーマット（例えば、JPEG方式) に圧縮された後、メディアコントロール回路８４を介してメモリカード７２に記録される。
【００５５】
記録メディアの形態は、スマートメディアに限らず、ＰＣカード、コンパクトフラッシュ（登録商標）、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の記録メディアをカメラ本体に装着可能な構成にしてもよい。また、画像データ及び音楽データを保存する手段は、カメラ本体に着脱可能なリムーバブルメディアに限らず、カメラに内蔵された記録媒体（内部メモリ）であってもよい。
【００５６】
モード設定スイッチ４４によってカメラモードが設定され、モードダイヤル２６によってムービーモードが設定されたときには、動画記録が可能となり、シャッターボタン４２の押下によって録画動作がスタートし、もう一度シャッターボタン４２を押下すると録画動作が停止する。シャッターボタン４２を押下継続している期間、録画動作を行い、押下解除により録画を停止するようにしてもよい。動画データは、例えば、モーションＪＰＥＧ形式によってメモリカード７２に記録される。
【００５７】
一方、モード設定スイッチ４４によってカメラモードが設定され、モードダイヤル２６によって再生モードが設定されると、メモリカード７２に記録されている最終コマの画像ファイルがメディアコントロール回路８４を介して読み出される。この読み出された画像ファイルの圧縮データは、圧縮／伸長回路８２を介して非圧縮のＹＣ信号に伸長される。
【００５８】
伸長されたＹＣ信号は、画像再生処理回路８６及びビデオエンコード回路８８を介してＮＴＳＣ方式のカラー複合映像信号に変換され、液晶モニタ４０に出力されるとともに、音声／映像出力端子５４（図５参照）に出力される。これにより、液晶モニタ４０にはメモリカード７２に記録されている最終コマのコマ画像が表示され、また、音声／映像出力端子５４にテレビ受像機（不図示）が接続されている場合には、テレビ受像機に最終コマのコマ画像が表示される。
【００５９】
その後、右キー２８が押されると、順方向にコマ送りされ、左キー３０が押されると、逆方向にコマ送りされる。そして、コマ送りされたコマ位置の画像ファイルがメモリカード７２から読み出され、上記と同様にしてコマ画像が液晶モニタ４０に再生される。なお、最終コマのコマ画像が表示されている状態で順方向にコマ送りされると、メモリカード７２に記録されている第１コマ目の画像ファイルが読み出され、１コマ目のコマ画像が液晶モニタ４０やテレビ受像機その他の画像表示装置に再生される。
【００６０】
再生対象ファイルが動画ファイルの場合には、動画の先頭コマが代表画像として表示され、動画再生開始の指示を受け付ける画面になる。
【００６１】
次に、上記デジタルカメラ１０のオーディオ再生機能について説明する。このオーディオ再生機能は、メモリカード７２に記録されているＭＰ３フォーマットなどの音楽ファイルを再生するもので、モード設定スイッチ４４によってオーディオモードが設定され、リモコン端子５６にイヤホン付きのリモコンが接続されていると、カメラ内電源がＯＮとなり、オーディオ再生が可能となる。オーディオモードでは、ＣＰＵ７０はリモコンからのリモコン信号のみを受け付け、カメラ本体の電源スイッチを兼ねたモード設定スイッチ４４以外のスイッチ入力は受け付けないようになっている。
【００６２】
デジタルカメラ１０がオーディオモードに設定された状態でリモコンの再生ボタンが押されると、メディアコントロール回路８４を介してメモリカード７２から音楽ファイルが読み出される。もちろん、メモリカード７２には、音楽ファイルがパソコンから直接、又はこのデジタルカメラ１０のデジタル（ＵＳＢ）端子５８（図４参照）を介してダウンロードされているものとする。
【００６３】
メモリカード７２から読み出された音楽ファイルの圧縮データは、圧縮／伸長回路８２を介して非圧縮の音楽データに伸長される。この伸長された音楽データは、音声処理回路９０によりＤ／Ａ変換等の処理が行われ、アナログ音声信号に変換される。変換された音声信号は、音声再生回路９２により増幅され、リモコン端子５６内の音声出力端子及びイヤホン（図示せず）を介して音声として出力される。
【００６４】
図７は、メモリカード７２のディレクトリ構造を示す図である。同図に示したディレクトリ名及びファイル名は、一例であり適宜変更可能である。ルート（root) ディレクトリの下に、画像ファイル格納用ディレクトリ(DCIM)、ＤＰＯＦファイル格納用ディレクトリ（MISC) 、及び音楽ファイル格納用ディレクトリ(dsam)が形成されている。画像ファイル格納用ディレクトリ(DCIM)の下層には、複数のサブディレクトリ「100 ＿fuji」、「101 ＿fuji」…が形成されており、ディレクトリ毎に分類して画像ファイルを保存することができる。
【００６５】
例えば、本デジタルカメラ１０によって、JPEG形式で保存された静止画ファイルは「DSCF****.jpg」というファイル名（ただし、「****」は4 桁の数字列とする。) で記録され、モーションJPEG形式で保存された動画ファイルは、「DSCF****.avi」というファイル名で記録される。ファイル名は、記録時にＣＰＵ７０によって自動付与される。
【００６６】
ＤＰＯＦ（Digital Print Order Format）ファイルは、当該メモリカード７２に記録されている画像をプリントする際に参照されるプリント情報が記述されたプリント情報ファイルであり、例えば、プリント枚数やトリミング等に関する情報、及びプリント済みの有無の情報等が記録可能で、各コマのプリント情報は１つのＤＰＯＦファイル（本例では、ファイル名「autprint.mrk」) にテキストファイル形式で記載される。
【００６７】
音楽ファイルは、ＭＰ３形式に従って保存され、各ファイルには「****.svq」というファイル名が付与される。音楽ファイルは、図示せぬパソコンから登録したり、専用の音楽配信端末などからダウンロードするなどにより、メモリカード７２に格納される。このように、音楽ファイルは、画像と関連付けされておらず、画像と無関係に（独立に）記録／削除が可能となっている。
【００６８】
図８は、デジタルカメラ１０における消去メニューの一例を示す図である。電源兼用モード設定スイッチ４４をＯＮ操作すると、デジタルカメラ１０はカメラモードで立ち上がる。モードダイヤル２６によって撮影モード又はムービーモードに設定すると、デジタルカメラ１０は撮影可能な状態となる。このとき、表示キー３８を押すと、液晶モニタ４０には、ＣＣＤ７４が捉えるリアルタイム画像が表示される。また、モードダイヤル２６を再生モードに設定すると、メモリカード７２から画像データが読み出され、液晶モニタ４０には、最新の記録画像が１コマ表示される。
【００６９】
撮影モード、ムービーモード、再生モードの各モード下でメニュー／実行キー３４を押すと、それぞれのモードに対応したメニュー画面が表示される。例えば、再生モードの一コマ再生画面のときにメニュー／実行キー３４を押すと、図８に示すようなメニュー画面が表示される。メニューには「消去」、「オートプレイ」、「リサイズ」、「プロテクト」、「ＤＰＯＦ」の５項目があり、液晶モニタ４０の画面下にこれらの項目を示すアイコン９４が一列に配列されたメニューバーが表示される。
【００７０】
右キー２８又は左キー３０で項目を選択すると各項目に対応するサブメニューのメニューバルーン９６が表示される。メニューバルーン９６の表示位置は、画面下のメニュー項目を示すアイコン９４の配列順に合わせて移動するようになっている。サブメニューの中から所望の設定内容を上／下レバー３２で選択し、その選択内容をメニュー／実行キー３４の押下により確定する。
【００７１】
「消去」のメニューバルーン９６には、「フォーマット」、「全曲♪」、「全コマ」、「１コマ」の４種類のコマンドが含まれる。「フォーマット」は、記録メディアの論理フォーマットに従い、最適フォーマットを行うコマンドである。「全曲♪」は、図７で説明した音楽ファイル格納用ディレクトリ（dsam) 下の音楽ファイル全てを削除する。「全コマ」は、プロテクトファイル（リードオンリーファイル）以外の画像コマを全部消去する。「１コマ」は、図７で説明した画像ファイル格納用ディレクトリ（DSIM) 下の画像ファイルを対象としており、ユーザが対象画像を１コマずつ選択し、指定された画像を１コマずつ消去していく。
【００７２】
上／下レバー３２でサブメニュー項目を選択してメニュー／実行キー３４を押すと、それぞれの消去の実行の確認画面となり、その確認画面で更にメニュー／実行キー３４を押すことで、処理が実行される。画像プロテクトがかかっている画像（リードオンリーファイル）については、１コマ消去、若しくは全コマ消去処理を実行しても消去されない。この場合、画像プロテクトを解除してから、１コマ消去、若しくは全コマ消去処理を実行する。
【００７３】
「消去」以外のメニュー項目を簡単に説明すると、「オートプレイ」は、メモリカード７２内の画像ファイルを１つずつ順番に自動再生するモードである。ただし、動画ファイルの場合には先頭コマの画像が代表画像として再生される。「オートプレイ」の項目では画面切換時のワイプパターンを設定でき、「ワイプなし」、「ワイプ１」、「ワイプ２」、「ワイプ３」の何れかを選択することができる。ワイプ１〜３にはそれぞれ所定のワイプパターンが定義されている。「リサイズ」の項目では画素数の変更が可能であり、「２４００→１２８０」、「２４００→６４０」、「１２８０→６４０」の何れかを選択できる。
【００７４】
「プロテクト」のサブメニューには、「全コマ解除」、「全コマプロテクト」、「１コマ設定」の３つの選択項目が含まれている。上／下レバー３２で所望の項目を選択してメニュー／実行キー３４を押すと、それぞれのプロテクト処理実行の確認画面となり、その確認画面で更にメニュー／実行キー３４を押すことで、プロテクト処理が実行され、読み出し専用（リードオンリー）データとなる。
【００７５】
「ＤＰＯＦ」のサブメニューには、「全コマ指定／解除」、「確認／解除」、「一コマ指定」、「日付有り」の選択項目が含まれている。ＤＰＯＦファイルを予めデジタルカメラ１０やパソコン等で作成し、メモリカード７２に画像とともに記録しておくことで、ラボ注文時やプリント装置での印画時においてプリント内容の指定が不要となる。
【００７６】
撮影モードやムービーモード下でメニュー／実行キー３４を押した場合には、撮影に関する各種設定（ＩＳＯ感度、ホワイトバランス、明るさなど）のメニュー画面が表示されるが、図８で示したような「消去」の項目をメニューに追加する態様も考えられる。
【００７７】
次に、上記の如く構成されたデジタルカメラ１０のファイル削除機能について説明する。図９は、１コマ消去の手順を示すフローチャートである。１コマ消去処理がスタートすると（ステップＳ１００）、対象画像がプロテクトされているコマであるか否かの判定を行う（ステップＳ１１０）。対象画像がプロテクトコマであるとき（ＹＥＳ判定時）は、消去を実行せずに、本シーケンスは終了する（ステップＳ１２０）。
【００７８】
ステップＳ１１０において、プロテクトコマでないとの判定（ＮＯ判定）を得たときは、ステップＳ１１２に分岐し、ＤＰＯＦファイルにおいてプリント指定の対象となっているか否かを判定する。
【００７９】
ＤＰＯＦの指定コマとなっているとき（ＹＥＳ判定時）は、ステップＳ１１４に進み、消去を実行してよいか否かの確認メッセージを液晶モニタ４０に提示し、ユーザからの確認の入力を待機する。このとき、ユーザが消去指示の取り止めを選択すると、ステップＳ１１４はＮＯ判定となり、消去を実行せずに本シーケンスを終了する（ステップＳ１２０）。
【００８０】
その一方、ステップＳ１１４において、ユーザが消去指示の確認を選択し、確認ＯＫとの判定（ＹＥＳ判定）を得たときは、ステップＳ１１６に進む。ステップＳ１１６では、ＤＰＯＦファイル内の当該画像に関するジョブ(JOB) を削除する。その後、ステップＳ１１８に進み、対象画像（*.jpg又は*.avi）のファイルを消去する。対象画像のファイル消去が完了したら、本シーケンスは終了する（ステップＳ１２０）。
【００８１】
また、ステップＳ１１２において、ＤＰＯＦの指定コマとなっていないとき（ＮＯ判定時）は、ステップＳ１１８にジャンプして、対象画像（*.jpg 又は*.avi ）のファイルを消去し、消去完了後に、本シーケンスは終了する（ステップＳ１２０）。
【００８２】
図１０は、全コマ消去の手順を示すフローチャートである。全コマ消去処理がスタートすると（ステップＳ２００）、まずＤＰＯＦファイルでプリント指定の対象となっているコマが存在するか否かを判定する（ステップＳ２１０）。ＤＰＯＦの指定コマが存在しているとき（ＹＥＳ判定時）は、ステップＳ２１２に進み、ＤＰＯＦファイルの消去を実行してよいか否かの確認メッセージを液晶モニタ４０に提示し、ユーザからの確認の入力を待機する。このとき、ユーザが消去指示の取り止めを選択すると、ステップＳ２１２はＮＯ判定となり、消去を実行せずに本シーケンスを終了する（ステップＳ２３０）。
【００８３】
その一方、ステップＳ２１２において、ユーザが消去指示の確認を選択し、確認ＯＫとの判定（ＹＥＳ判定）を得たときは、ステップＳ２１４に進む。ステップＳ２１４では、ＤＰＯＦファイル内のプロテクトされていないコマのJOB を削除する。次いで、ステップＳ２１６に進み、各画像ファイル毎に対象画像がプロテクトされているコマであるか否かの判定を行う。もし、対象画像がプロテクトコマでないとの判定（ＮＯ判定）を得たときは、ステップＳ２１８に進んで、対象画像（*.jpg又は*.avi）のファイルを消去する。そして、ファイル消去後にステップＳ２２０に進む。
【００８４】
他方、ステップＳ２１６において、対象画像がプロテクトコマであるとき（ＹＥＳ判定時）は、消去を実行せずに、ステップＳ２２０に進む。ステップＳ２２０では、プロテクトコマを除く全コマの消去が終了したか否かの判定を行う。この判定において、ＮＯ判定のとき（プロテクトコマ以外の未消去の画像が残っている場合）は、ステップＳ２１６に戻り、対象画像を変更してステップＳ２１６〜ステップＳ２２０の処理を繰り返す。
【００８５】
ステップＳ２２０において全コマ消去処理が完了したことが確認されたら、本シーケンスを終了する（ステップＳ２３０）。
【００８６】
図１１は、全曲消去の手順を示すフローチャートである。全曲消去処理がスタートすると（ステップＳ３００）、対象となる音楽ディレクトリ（dsam）下の全音楽ファイルの消去を実行し（ステップＳ３１０）、本処理を終了する（ステップＳ３２０）。
【００８７】
ＭＰ３形式の音楽ファイルは、例えば、演奏時間３分のファイルで約2.88ＭＢの容量を有しているので、記録メディア内に二曲分の音楽ファイルが記録されている場合に、全曲消去すると、5.76ＭＢの容量が空く。このとき、撮影する画質モードを最高画質モードに設定した場合、ファイルサイズが1.7 ＭＢとなるため、３枚分の静止画の撮影が可能となる。また、画質モードの画質設定を下げ、ファイルサイズが87ＫＢとなる画質モードに設定すれば、６６枚分の静止画の撮影が可能である。
【００８８】
上述した実施の形態では、メモリカード７２内の全音楽ファイルを一斉に削除する例を述べたが、対象ファイルを指定しながら、１曲ずつ消去する態様も可能である。すなわち、図８で説明したメニューバルーン９６の中に「１曲♪」という項目を追加し、又は、「全曲♪」に代えて「１曲♪」という項目を設ける。そして、カメラモードで音楽ファイルを削除する場合、図１２（ａ）に示すように、液晶モニタ４０に音楽ファイルのファイル名を表示し（拡張子は省略してもよい。）、上／下レバー３２によってカーソル９８を移動させ、対象ファイルを選択する。
【００８９】
例えば、「0001」を選択し、メニュー／実行キー３４を押すと、図１２（ｂ）のような確認画面となり、「0001を消去しますか？」という確認メッセージが表示される。画面下の操作案内に従って、メニュー／実行キー３４を押すと、消去が実行される。もし、キャンセル／戻るキー３６を押したときは、消去を実行せずに、図１２（ａ）のファイル選択画面に戻る。
【００９０】
なお、音楽ファイルには、曲名や演奏者名（アーティスト名）など、その音楽ファイルの内容に関する付属情報（データ）を有しているので、ファイル名に代えて、又はファイル名と併せて、当該付属情報を液晶モニタ４０に表示することにより、ユーザはファイルを一層選択し易くなる。
【００９１】
図１３は、１曲消去の手順を示すフローチャートである。１曲消去の処理がスタートすると（ステップＳ４００）、ステップＳ４１０において、１曲消去の作業をやめる指示が与えられたか否かの判別を行う。この判定においてＮＯ判定（消去作業継続）の場合は、ステップＳ４１２に分岐する。ステップＳ４１２では、消去の対象とする一つの音楽ファイルを指定したか否かが判別される。もし、対象ファイルを指定していないとき（ＮＯ判定時）、ステップＳ４１６に分岐し、ここで図１２で説明したような手法により、消去対象とする曲（音楽ファイル）の選択を受け付ける。ユーザが曲を選択したら、処理はステップＳ４１０に戻る。
【００９２】
こうして消去対象曲の指定が行われ、ステップＳ４１２においてＹＥＳ判定を得ると、ステップＳ４１４に進む。ステップＳ４１４では消去を実行してよいか否かの確認メッセージを液晶モニタ４０に提示し、ユーザからの確認の入力を待機する。このとき、ユーザが消去指示の取り止めを選択すると、ステップＳ４１４はＮＯ判定となり、ステップＳ４１６に進み、消去対象とする別の曲を選択させる。
【００９３】
他方、ステップＳ４１４においてユーザが消去指示の確認を選択し、確認ＯＫとの判定（ＹＥＳ判定）を得たときは、ステップＳ４１８に進む。ステップＳ４１８では対象音楽ファイルの消去を実行し、その後、ステップＳ４１０に戻る。
【００９４】
１曲消去を継続するときは、上記ステップＳ４１０〜ステップＳ４１８の処理を繰り返す。図１２（ａ）で説明したファイルの選択画面でユーザがキャンセル／戻るキー３６を押すと、ステップＳ４１０においてＹＥＳ判定となり、１曲消去のシーケンスが終了する（ステップＳ４２０）。
【００９５】
上記実施の形態では、静止画データをJPEG形式、動画データをモーションJPEG形式、音楽データをＭＰ３形式で記録する例を述べたが、本発明の実施に際して、ファイル形式をこれらに限定するものではない。
【００９６】
上記実施の形態では、オーディオモード中はリモコン信号のみを受け付け、デジタルカメラ１０本体の操作部についてはモード設定スイッチ４４を除いてスイッチ入力を受け付けない場合を説明したが、本発明を実施する上ではこの例に限定されない。例えば、音楽ファイルの曲名等に関する表示機能及び音楽ファイルの削除機能を更に強化するためにオーディオモード中に表示キー３８のスイッチ入力を受け付け、表示キー３８の操作に応じて液晶モニタ６６上に曲名等を表示する態様もある。
【００９７】
以下、音楽ファイルのファイル操作を容易にする機能に関する他の実施形態について説明する。
【００９８】
図１４に示したように、デジタルカメラ１０のリモコン端子５６にはヘッドホン１３０付きのリモコン１３２を接続することができる。リモコン１３２は、再生／停止ボタン１３４、送り／戻しボタン１３５、音量調整ボタン１３６、表示ボタン１３７などのスイッチ部とＬＣＤパネル１３８を有し、これらスイッチ部が操作されると、操作に応じた指令信号がデジタルカメラ１０の本体側に送られ、指示に対応する処理が行われる。
【００９９】
リモコン１３２のＬＣＤパネル１３８には現在再生中の曲名及びアーティスト名等の情報が表示され、曲送り操作した場合は、これから再生しようとする曲名及びアーティスト名等の情報が表示される。なお、このＬＣＤパネル１３８には１曲分の情報のみが表示される。
【０１００】
通常、オーディオモード中は、液晶モニタ４０のバックライトがＯＦＦ（消灯）されているが、デジタルカメラ１０本体の表示キー３８又はリモコン１３２の表示ボタン１３７が押下操作されると、これに応動して液晶モニタ４０のバックライトがＯＮ（点灯）し、図１５に示すように、メモリカード７２内の音楽ファイルに関する楽曲情報（曲名、アーティスト名及び時間）が曲順番号とともに一覧表示される。
【０１０１】
これらファイルの情報は、ＭＰ３ファイルのタグに書き込まれており、表示に際してファイルのタグ情報が参照される。ＭＰ３ファイルのタグに必要な情報が書き込まれていない場合には、情報を表示することができない。図１５に示した１曲目のファイルのように、曲名とアーティスト名が不明の場合、曲名、アーティスト名の表示欄はブランク（空欄）又はアンダースコアとなる。
【０１０２】
音楽ファイルの一覧表示画面は、１画面中に複数の音楽ファイル（本例の場合、４曲分）の情報が同時に表示されるが、メモリカード７２内に多数の音楽ファイルが保存され、液晶モニタ４０の１画面で全てを表示できない場合には、表示可能な曲数分について表示を行い、残りはページを分けて表示したり、スクロール表示を行う。複数の楽曲情報を見やすく表示するために、曲順番号が奇数の表示欄の背景色と偶数の表示欄の背景色が色分け（又は濃淡分け）される。そして、カーソル位置を合わせた表示欄については、更に別の背景色に変わる（又は色反転する）ように制御される。
【０１０３】
オーディオ停止中（非再生状態）に表示キー３８又はリモコン１３２の表示ボタン１３７を押下操作した直後の一覧表示画面では、メモリカード７２に記録されている順番に従って１曲目から降順に楽曲情報が表示され、このとき、１曲目の情報表示部分がカーソル表示される。その一方、オーディオ再生中に表示キー３８又はリモコン１３２の表示ボタン１３７を押下した直後の一覧表示画面では、当該再生中のファイルとその前後の曲を含む複数のファイルの情報が液晶モニタ４０に表示され、再生中のファイルの情報表示部分がカーソル表示される。
【０１０４】
一覧表示画面において、上／下レバー３２又はリモコン１３２の送り／戻しボタン１３５を操作することにより、選択対象を示すカーソルが移動する。このとき、液晶モニタ４０上のカーソル表示の移動に連動して、リモコン１３２のＬＣＤパネル１３８における曲名及びアーティスト名等の表示が変更される。図１５に示した一覧表示画面から所望の楽曲にカーソル位置を合わせ、メニュー／実行キー３４又は再生ボタン１３５など所定の指示ボタンを押すと、その選択に係る楽曲の再生が開始される。
【０１０５】
一覧表示画面を表示させた後、無操作状態が一定時間経過した時点で液晶モニタ４０のバックライトが自動的にＯＦＦされる。このような自動制御に代えて、又はこれと併用して、表示キー３８又は表示ボタン１３７の再押し操作などの所定の操作に応動して液晶モニタ４０をＯＦＦする態様も可能である。
【０１０６】
図１６は、図１４に示したデジタルカメラ１０における消去メニューの一例を示す図である。電源兼用モード設定スイッチ４４によってデジタルカメラ１０をカメラモードに設定するとともに、モードダイヤル２６によって再生モードを選択することにより「再生モード」に設定される。再生モードにおいてメニュー／実行キー３４を押すと、図１６に示すようなメニュー画面が表示される。
【０１０７】
メニューには「消去」、「オートプレイ」、「プロテクト」、「ＤＰＯＦ」、「セット」の５項目があり、液晶モニタ４０の画面下にこれら各項目を示すアイコン１５４が一列に配列されたメニューバーが表示される。「セット」は、各種の設定を行うメニューであり、図には示さないが、再生モード時に「セット」が選択されると、「モニタの明るさ」、「再生音量」、「セットアップ」のサブメニューが表示される。その後「セットアップ」が選択されるとセットアップ画面が表示され、同画面において撮影直後に撮影画像を液晶モニタ４０に表示させる機能（ON／OFF／プレビュー）の設定や、オートパワーセーブの作動時間（２分／５分／OFF）の設定、ＵＳＢ動作モード（カードリーダ／ＰＣカメラ）の設定、オープニング画面表示の有無、日付設定、コマ番号メモリ（ON／OFF ）の設定、ビープ音量（HIGH／LOW／OFF）の設定、静止画撮影モード選択時における液晶モニタ６６の表示（ON／OFF）設定などを行うことができる。
【０１０８】
図１６に示したように、「消去」のメニューバルーン１５６には、「フォーマット」、「オーディオ」、「全コマ」、「１コマ」の４種類のコマンドが含まれる。「オーディオ」の項目が選択され、メニュー／実行キー３４が押下されると、図１７に示すように、消去方法を選択する画面が表示される。この選択画面には、「全曲消去」／「１曲消去」という２種類の消去方法が提示されるとともに、画面下段には操作案内が表示される。「全曲消去」はメモリカード７２内の全音楽ファイルを一括消去するモードである。「１曲消去」はユーザが消去対象ファイルを指定し、その指定した音楽ファイルのみを消去するモードである。
【０１０９】
ユーザは、上／下レバー３２によって所望の消去方法を選択し、メニュー／実行キー３４を押下することによって、消去方法を指定することができる。また、図１７の画面でキャンセル／戻るキー３６を押下した場合には、図１６の画面に戻る。
【０１１０】
図１７に示した画面において「１曲消去」が選択されると、図１８に示すように、消去対象ファイルの選択画面に遷移する。この選択画面は、メモリカード７２内に保存されている音楽ファイルの曲名、アーティスト名及び時間が一覧表示され、画面下段に「この曲を消去  ＯＫ？」というメッセージとともに、消去の可否を入力するための操作案内が表示される。
【０１１１】
同図では、１画面に３曲分の楽曲情報を同時に表示する例を示したが、表示可能な情報数はこれに限定されない。複数の楽曲（より好ましくは３曲以上）の情報を同時に表示したことにより、ユーザは前後の曲を容易に把握でき、消去対象とするファイルを簡単に選択できる。
【０１１２】
図１８に示した選択画面において、上／下レバー３２又はリモコン１３２の送り／戻しボタン１３５を操作することにより、選択対象を示すカーソルが移動する。消去しようとする楽曲にカーソル位置を合わせ、メニュー／実行キー３４を押下すると、その選択に係る楽曲のファイルが消去される。図１８の画面においてキャンセル／戻るキー３６が押された場合には、消去対象の選択操作が取り消され、図１７又は図１６に示した画面に戻る。
【０１１３】
その一方、図１７に示した画面において「全曲消去」が選択された場合は、図１９に示すような消去確認画面に遷移する。この消去確認画面は、メモリカード７２内に保存されている音楽ファイルの曲名、アーティスト名及び時間が一覧表示され、画面下段に「全曲消去  ＯＫ？」というメッセージとともに、消去の可否を入力するための操作案内が表示される。前述した「１曲消去」の場合は、消去対象として選択したファイルの情報部分のみが色が変わって表示されるが、「全曲消去」の場合は、消去対象となる全ファイルの情報について色が変わって表示される。
【０１１４】
図１９に示した画面で上／下レバー３２を操作することによって、一覧表示のページ切り換え又はスクロールが行われ、ユーザはメモリカード７２内の音楽ファイルを容易に確認することができる。図１９に示した消去確認画面でメニュー／実行キー３４を押下すると、全ての音楽ファイルが一括消去される。また、図１９の画面においてキャンセル／戻るキー３６が押された場合には、全曲消去の準備が取り消され、図１７又は図１６の画面に戻る。
【０１１５】
メモリカード７２内に音楽ファイルが１つも格納されていない場合は、音楽ファイルの消去操作を進めることができないように操作系が制限される。例えば、メモリカード７２内に音楽ファイルが存在しないことが検出されると、図１６の画面において「オーディオ」の項目を非表示（又は、選択不能であることを示すグレーアウト表示）としたり、図１７の画面で「音楽ファイルは存在しません」などのメッセージを表示するなどの態様により、「全曲消去」／「１曲消去」の選択操作が禁止される。このように無駄な操作を受け付けない制御を行うことにより、操作性が向上する。
【０１１６】
上記実施の形態では、再生モードから消去メニューを表示させる例を述べたが、発明の実施上この例に限定されず、撮影モード、ムービーモード、オーディオモードなど、他の動作モードから消去メニューを表示させて、音楽ファイルの消去操作を受け付ける態様も可能である。オーディオモードから消去メニューを表示させた場合には、音楽ファイルの消去操作が行われる可能性が高いと考えられるため、図１６に示したサブメニューに代えて、「フォーマット」、「全曲」、「１曲」、「画像」という選択項目を提示し、図１７の画面遷移を省略する態様が好ましい。そして、「画像」の項目が選択されたときには、「全コマ消去」／「１コマ消去」の選択画面に遷移させる。
【図面の簡単な説明】
【０１１７】
【図１】本発明の実施形態に係るデジタルカメラの正面図
【図２】図１に示したデジタルカメラの背面図
【図３】図１に示したデジタルカメラの平面図
【図４】図１に示したデジタルカメラの底面図
【図５】図１に示したデジタルカメラの側面図
【図６】本例のデジタルカメラの内部構成を示すブロック図
【図７】メモリカードのディレクトリ構造を示す図
【図８】消去メニュー画面の一例を示す図
【図９】１コマ消去処理の制御手順を示すフローチャート
【図１０】全コマ消去処理の制御手順を示すフローチャート
【図１１】全曲消去処理の制御手順を示すフローチャート
【図１２】１曲ずつファイルを指定して音楽ファイルを削除する態様例を示す図
【図１３】１曲消去処理の制御手順を示すフローチャート
【図１４】本発明の実施形態に係るデジタルカメラの斜視図
【図１５】音楽ファイルの曲名、アーティスト名等の楽曲情報を表示させる画面の一例を示す図
【図１６】消去メニュー画面の一例を示す図
【図１７】全曲消去／１曲消去の消去方法を選択する画面の一例を示す図
【図１８】１曲消去の消去モードが選択された場合の消去対象選択画面の一例を示す図
【図１９】全曲消去の消去モードが選択された場合の確認画面の一例を示す図
【符号の説明】
【０１１８】
１０…デジタルカメラ、１２…撮影レンズ、１６…ストロボ（閃光装置）、２３…グリップ部、３２…上／下レバー（消去指示入力手段、選択手段、削除モード選択手段、消去対象選択手段）、３４…メニュー／実行キー（消去指示入力手段、選択手段、削除モード選択手段、消去対象選択手段）、３８…表示キー（表示指示入力手段）、４０…液晶モニタ（表示手段）、４２…シャッターボタン（撮影指示入力操作部）、４４…モード設定スイッチ（モード選択手段）、７０…ＣＰＵ（音楽ファイル削除手段、楽曲情報表示制御手段、音楽再生制御手段、ファイル削除制御手段、操作制限手段）、７２…メモリカード（記録メディア）、７４…ＣＣＤ（撮像素子）、８４…メディアコントロール回路（記録手段）、９０…音声処理回路（オーディオ再生手段）、９２…音声再生回路（オーディオ再生手段）、１３２…リモコン、１３７…表示ボタン（表示指示入力手段）
【図１】
0005042980.tif 000002
【図２】
0005042980.tif 000003
【図３】
0005042980.tif 000004
【図４】
0005042980.tif 000005
【図５】
0005042980.tif 000006
【図６】
0005042980.tif 000007
【図７】
0005042980.tif 000008
【図８】
0005042980.tif 000009
【図９】
0005042980.tif 000010
【図１０】
0005042980.tif 000011
【図１１】
0005042980.tif 000012
【図１２】
0005042980.tif 000013
【図１３】
0005042980.tif 000014
【図１４】
0005042980.tif 000015
【図１５】
0005042980.tif 000016
【図１６】
0005042980.tif 000017
【図１７】
0005042980.tif 000018
【図１８】
0005042980.tif 000019
【図１９】
0005042980.tif 000020